(57)【要約】【課題】電気かみそりにおいて、外刃ホルダーがかみそりヘッドに装着してある限りは、外刃カートリッジを外刃ホルダーから分離できないようにして、外刃カートリッジが誤って取り外されるのを防止する。【解決手段】外刃ホルダー１２と、外刃ホルダー１２に対して着脱可能に装着される外刃カートリッジＣとを備えている。外刃ホルダー１２の左右壁と外刃カートリッジＣとの間に、外刃カートリッジをロック保持する第２ロック機構を設ける。第２ロック機構は、外刃ホルダー１２の側枠８１に設けた係合凹部８３と、外刃カートリッジＣのカートリッジ枠７９の側枠８６に設けた弾性係合爪８８および、弾性係合爪８８をロック解除操作する解除片１６０とを含む。外刃ホルダー１２を取付部１４３に装着した状態において、解除片１６０の外側面を覆い隠すカバー壁１６３をかみそりヘッド２に設ける。外刃ホルダー１２の両側枠８１に、解除片１６０をロック解除操作するための操作窓１７０を開口する。【選択図】        図１
2004248979.tif 000002
【特許請求の範囲】
【請求項１】
かみそりヘッド２の取付部１４３に対して着脱可能に装着される外刃ホルダー１２と、外刃ホルダー１２に対して着脱可能に装着される外刃カートリッジＣとを備えており、
外刃ホルダー１２と取付部１４３との間に、外刃ホルダー１２を取り外し不能にロック保持する第１ロック機構が設けられており、
外刃ホルダー１２の左右壁と外刃カートリッジＣとの間に、外刃カートリッジをロック保持する第２ロック機構が設けられており、
第２ロック機構は、外刃ホルダー１２の側枠８１と、外刃カートリッジＣのカートリッジ枠７９の側枠８６との間に設けられて、互いに係合する弾性係合爪８８および係合凹部８３と、弾性係合爪８８をロック解除操作する解除片１６０とを含み、
外刃ホルダー１２を取付部１４３に装着した状態において、解除片１６０の外側面を覆い隠すカバー壁１６３がかみそりヘッド２に設けてあることを特徴とする電気かみそり。
【請求項２】
外刃ホルダー１２の両側枠８１に、解除片１６０をロック解除操作するための操作窓１７０が開口されており、
解除片１６０が、操作窓１７０の開口面よりホルダー内面側に臨んで配置されており、
外刃ホルダー１２を取付部１４３に装着した状態において、解除片１６０の外面が、操作窓１７０内に位置するカバー壁１６３で覆い隠してある請求項１記載の電気かみそり。
【請求項３】
外刃ホルダー１２の両側枠８１の前後中央寄りに操作窓１７０が開口されており、
解除片１６０の前後が操作窓１７０の前後の周縁壁１７２で囲まれている請求項１または２記載の電気かみそり。
【請求項４】
カバー壁１６３と解除片１６０との上下方向の重合寸法Ｌが、第１ロック機構の上下方向の係合解除長さＭより大きく設定してある請求項１、２または３記載の電気かみそり。
【請求項５】
外刃カートリッジＣが、前後一対の外刃ユニットＳと、両外刃ユニットＳの間に配置したセンター刃１７と、外刃ユニットＳおよびセンター刃１７を支持するカートリッジ枠７９とで構成してあり、
外刃ユニットＳが、外刃１６と、外刃１６をアーチ状に保形保持する外刃保持枠９９とで構成されており、
カートリッジ枠７９に弾性係合爪８８と解除片１６０が形成してある請求項１から４のいずれかに記載の電気かみそり。
【請求項６】
第１ロック機構が、内刃支持枠５７の枠壁６９に対して出没自在に組み付けられる解除ピース１９と、解除ピース１９と同行移動するロックピース１４６と、ロックピース１４６に対応して外刃ホルダー１２の側枠８１内面に設けられる係合凹部８４と、内刃支持枠５７と解除ピース１９との間に設けられてロックピース１４６をロック付勢するばね１４７を含んで構成してある請求項４または５記載の電気かみそり。
【発明の詳細な説明】
【０００１】
【発明の属する技術分野】
本発明は、外刃がカートリッジ化してある電気かみそりに関し、外刃カートリッジの外刃ホルダーに対する着脱構造を改良したものである。
【０００２】
【従来の技術】
外刃ホルダーに装着した外刃カートリッジの着脱構造に関して、本出願人は、外刃ホルダーをかみそりヘッドから取り外した状態においてのみ、外刃カートリッジを外刃ホルダーから取り外せるようにした電気かみそりを先に提案している（特許文献１参照）。そこでは、外刃ホルダーをロック解除操作する解除ボタンを利用して外刃カートリッジをロック保持しており、外刃ホルダーがかみそりヘッドに装着してある状態では、解除ボタンをロック解除操作したとしても、外刃ホルダーのロックピースがロック解除されるだけで、外刃カートリッジと解除ボタンとのロック係合状態は解除できない。つまり、解除ボタンは第１位置と、第１位置を越える第２位置とに押し込み操作でき、外刃ホルダーがかみそりヘッドに装着してある状態では、第１位置までしか押し込み操作できないように動作規制してある。
【０００３】
【特許文献１】
特許第３１８９０６３号公報（段落番号００２１、図２）
【０００４】
【発明が解決しようとする課題】
外刃ホルダーの解除ボタンを利用して外刃カートリッジをロック保持する上記の着脱構造によれば、外刃ホルダーをかみそりヘッドから取り外すとき、誤って外刃カートリッジを外刃ホルダーから分離してしまうことがない。しかし、外刃ホルダーの取り外し途中状態においては、解除ボタンが設けてある操作つまみに対する動作規制が解除されるので、解除ボタンは第２位置まで押し込み操作できる状態となり、例えば、解除ボタンを強く押しすぎているような場合に、外刃カートリッジを分離してしまうおそれがある。また、外刃カートリッジを取り外す場合には、解除ボタンを第２位置まで押し込んで操作つまみを大きく変形させ、その状態を維持する必要があるので操作し辛い。
【０００５】
本発明の目的は、外刃ホルダー用の解除ピースとは別に外刃カートリッジ用の解除片を備えていて、外刃ホルダーがかみそりヘッドに装着してある状態では、後者の解除片がかみそりヘッド側の構造体で操作できないように隠蔽してあり、従って、外刃ホルダーがかみそりヘッドに装着してある限りは、外刃カートリッジを外刃ホルダーから分離できない電気かみそりを提供することにある。本発明の目的は、外刃ホルダーをかみそりヘッドから取り外した状態においてのみ、外刃カートリッジを外刃ホルダーから取り外せる、従って使用者の明確な意図がない限りは、外刃カートリッジを外刃ホルダーから分離できない、使い勝手に優れた電気かみそりを提供することにある。
【０００６】
【課題を解決するための手段】
本発明の電気かみそりは、かみそりヘッド２の取付部１４３に対して着脱可能に装着される外刃ホルダー１２と、外刃ホルダー１２に対して着脱可能に装着される外刃カートリッジＣとを備えている。外刃ホルダー１２と取付部１４３との間に、外刃ホルダー１２を取り外し不能にロック保持する第１ロック機構を設ける。外刃ホルダー１２の左右壁と外刃カートリッジＣとの間に、外刃カートリッジをロック保持する第２ロック機構を設ける。第２ロック機構は、外刃ホルダー１２の側枠８１と、外刃カートリッジＣのカートリッジ枠７９の側枠８６との間に設けられて、互いに係合する弾性係合爪８８および係合凹部８３と、弾性係合爪８８をロック解除操作する解除片１６０とを含む。外刃ホルダー１２を取付部１４３に装着した状態において、解除片１６０の外側面を覆い隠すカバー壁１６３をかみそりヘッド２に設ける（請求項１）。
【０００７】
外刃ホルダー１２の両側枠８１に、解除片１６０をロック解除操作するための操作窓１７０を開口する。解除片１６０は、操作窓１７０の開口面よりホルダー内面側に臨んで配置する。外刃ホルダー１２を取付部１４３に装着した状態において、解除片１６０の外面を、操作窓１７０内に位置するカバー壁１６３で覆い隠す（請求項２）。
【０００８】
外刃ホルダー１２の両側枠８１の前後中央寄りに操作窓１７０を開口する。解除片１６０の前後を操作窓１７０の前後の周縁壁１７２で囲む（請求項３）。
【０００９】
カバー壁１６３と解除片１６０との上下方向の重合寸法Ｌを、第１ロック機構の上下方向の係合解除長さＭより大きく設定する（請求項４）。
【００１０】
外刃カートリッジＣを、前後一対の外刃ユニットＳと、両外刃ユニットＳの間に配置したセンター刃１７と、外刃ユニットＳおよびセンター刃１７を支持するカートリッジ枠７９とで構成する。外刃ユニットＳは、外刃１６と、外刃１６をアーチ状に保形保持する外刃保持枠９９とで構成する。カートリッジ枠７９に弾性係合爪８８と解除片１６０を形成する（請求項５）。
【００１１】
第１ロック機構は、内刃支持枠５７の枠壁６９に対して出没自在に組み付けられる解除ピース１９と、解除ピース１９と同行移動するロックピース１４６と、ロックピース１４６に対応して外刃ホルダー１２の側枠８１内面に設けられる係合凹部８４と、内刃支持枠５７と解除ピース１９との間に設けられてロックピース１４６をロック付勢するばね１４７を含んで構成する（請求項６）。
【００１２】
【発明の作用効果】
本発明の電気かみそりでは、互いに係合する弾性係合爪８８および係合凹部８３と、弾性係合爪８８をロック解除操作する解除片１６０などで、外刃カートリッジをロック保持するための第２ロック機構を構成し、外刃ホルダー１２を取付部１４３に装着した状態において、解除片１６０の外側面をカバー壁１６３で覆い隠すようにした。従って、本発明の電気かみそりによれば、外刃ホルダー１２がかみそりヘッド２に装着してある限りは、解除片１６０に触れることができないので外刃カートリッジＣが外刃ホルダー１２から分離操作されるのを確実に防止でき、誤操作による外刃カートリッジＣの分離を解消できる。第２ロック機構の解除片１６０がカバー壁１６３で覆われているので、外刃ホルダー１２用の第１ロック機構の解除ピース１９と解除片１６０とを間違えることがなく、勘違いによる誤操作を防止できる。外刃ホルダー１２をかみそりヘッド２から取り外した状態においては、解除片１６０を操作するだけで、外刃カートリッジＣを外刃ホルダー１２から簡単に分離できる（請求項１）。
【００１３】
外刃ホルダー１２の両側枠８１に、解除片１６０をロック解除操作するための操作窓１７０を開口し、解除片１６０を操作窓１７０の開口面よりホルダー内面側に臨んで配置すると、外刃ホルダー１２をかみそりヘッド２から取り外した場合でも、指先が解除片１６０に触れるのを極力避けることができ、従って、明確な意図を持って解除片１６０を解除操作しない限りは外刃カートリッジＣを外刃ホルダー１２から分離できず、勘違いや誤操作による外刃カートリッジＣの分離を確実に防止できる（請求項２）。
【００１４】
外刃ホルダー１２の両側枠８１の前後中央寄りに操作窓１７０を開口し、解除片１６０の前後を、操作窓１７０の前後の周縁壁１７２で囲むと、誤って指先が解除片１６０に触れるのをさらに確実に防止して、誤操作による外刃カートリッジＣの意図しない分離をさらに確実に防止できる（請求項３）。
【００１５】
カバー壁１６３と解除片１６０との上下方向の重合寸法Ｌを、第１ロック機構の上下方向の係合解除長さＭより大きく設定すると、外刃ホルダー１２を取付部１４３から取り外すとき、解除片１６０の下端がカバー壁１６３の上端から露出し終わるまで、解除片１６０に指先などが触れるのをカバー壁１６３で規制できるので、外刃ホルダー１２の取り外し途中に、外刃ホルダー１２を持ち替えるような場合でも、解除片１６０が誤って解除操作されるのを良く防止できる（請求項４）。
【００１６】
前後一対の外刃ユニットＳと、両外刃ユニットＳの間に配置したセンター刃１７と、外刃ユニットＳおよびセンター刃１７を支持するカートリッジ枠７９とで外刃カートリッジＣを構成すると、外刃ユニットＳ、センター刃１７、カートリッジ枠７９の三者をまとめて交換でき、あるいはセンター刃１７と、前または後の外刃ユニットＳをそれぞれ個別に交換することができるので、各部材の損耗状況や破損状況に応じて必要な部材のみを交換でき経済的である。外刃ユニットＳ、センター刃１７、カートリッジ枠７９の三者を分解することにより、これらの清掃を簡便に行える利点もある。弾性係合爪８８と解除片１６０をカートリッジ枠７９に形成すると、第２ロック機構の構成部品点数を最小限化して、その分だけ第２ロック機構の製造に要するコストを削減できる（請求項５）。
【００１７】
内刃支持枠５７の枠壁６９に組み付けられる出没自在な解除ピース１９、ロックピース１４６、およびロックピース１４６をロック付勢するばね１４７と、外刃ホルダー１２の側枠８１内面に設けられる係合凹部８４とで第１ロック機構を構成すると、片手で左右一対の解除ピース１９を押し込み操作することにより、他方の手で外刃ホルダー１２を掴んで取付部１４３から取り外すことになるので、取り外し途中に解除片１６０に触れる余地がなく、誤操作による外刃カートリッジＣの意図しない分離をさらに確実に防止できる。外刃ホルダー１２を取付部１４３に装着する場合には、外刃ホルダー１２を取付部１４３に単に差し込み装填するだけでロック保持できる（請求項６）。
【００１８】
【実施例】
図１ないし図２２は、本発明に係るロータリー式電気かみそりの実施例を示す。図２ないし図４において電気かみそりは、本体ケース１とその上部に設けたかみそりヘッド２と、本体ケース１に収容される電装品ユニット３などを主な構造体にして構成する。
【００１９】
本体ケース１の前面には、モーター起動用のスイッチボタン５と、そのロックボタン６、および運転モードを切り換えるセレクトボタン７などの切り換え操作具と、表示具とを設けてある。表示具は、セレクトボタン７の上側に設けた充電灯８と、電池残量表示灯９と、ケース上部に設けられて運転モードに応じて色が変化する逆Ｕ字状のモード表示灯１０と、ひげセンサーのオンオフに連動して点灯するセンサー灯１１の４種である。符号１２はかみそりヘッド２に対して着脱可能に装着される外刃ホルダーである。
【００２０】
図３において本体ケース１の背面側には、きわぞり刃１３と、きわぞり刃１３を駆動位置へ押し上げ操作するスライドノブ１４とが設けてある。かみそりヘッド２には、横軸回りに回転する前後一対ずつの内刃１５と、内刃１５に密着する前後一対の外刃１６と、一対の内刃１５の間に配置されるセンター刃１７と、これらを駆動する駆動機構などが配置してある。かみそりヘッド２の左右には、かみそりヘッド２を前後揺動不能にロック固定するためのロックノブ１８と、外刃ホルダー１２をロック解除操作する左右一対の解除ピース１９などが設けてある。
【００２１】
図４において電装品ユニット３は、内フレーム２５と、内フレーム２５の前面に装着される回路基板２６と、回路基板２６の背面側に配置される左右一対の２次電池２７と、回路基板２６に組み付けられる電源スイッチ、および各種の表示用ＬＥＤ等で構成してある。電装品ユニット３を本体ケース１内に装着した後、下面開口を塞ぐ底ケース２１と内フレーム２５とをビスで締結することにより、本体ケース１と、電装品ユニット３と、底ケース２１の３者を分離不能に一体化できる。この組み立て状態において、電装品ユニット３を含むケース内空間は、ケースパッキン２８で防水されている（図５参照）。かみそりヘッド２は、その下面に固定した浮動フレーム２９を介して内フレーム２５に装着され、前後左右、および上下の全方位へフロート自在に支持される。
【００２２】
図２において、かみそりヘッド２には、モーター３１と、遊星歯車機構からなる減速機構３２とをユニット化した動力モジュールと、減速機構３２で減速したモーター動力を内刃１５に伝える巻掛伝動機構３３と、モーター動力を左右方向の往復動力に変換してきわぞり刃１３、およびセンター刃１７に伝える動力系などが設けてある。
【００２３】
図５において巻掛伝動機構３２は、減速機構３２の出力軸３４に固定される原動プーリー３５と、終段軸３６に固定される従動プーリー３７と、両プーリ−３５・３６に巻き掛け装着されるタイミングベルト３８などで構成する。終段軸３６に設けた終段ギヤ３９で、前後の内刃１５を同時に回転駆動する。
【００２４】
モーター３１の回転動力を左右方向の往復動作に変換するために起振構造を設けている。図６において起振構造は、動力モジュールの側面に固定されるガイド板４０と、モーター３１の出力軸に固定される駆動カム４１と、駆動カム４１で上下に往復駆動される受動ピース４２と、受動ピース４２の上下動作を左右動作に直接変換する逆Ｌ字状の伝動ベルト４３と、伝動ベルト４３の左右動作を受け継ぐスライド片４４とを含む。伝動ベルト４３は、ポリイミド繊維で強化されたポリウレタン製のタイミングベルトからなり、その屈曲部の内外が変向ギヤ４５と遊転ローラー４６とで変向案内してある。
【００２５】
図６においてスライド片４４に伝動された往復動力は、その上面中央に突設した駆動ピン４７と振動子４８とからなる往復動力伝動系を介してセンター刃１７に伝動され、同時にスライド片４４の後面に設けた駆動アーム４９を介してきわぞり刃１３に伝動される。
【００２６】
図７においてかみそりヘッド２は、動力モジュールの上面に装着固定されるヘッドフレーム５５と、ヘッドフレーム５５で前後揺動可能に支持される揺動枠５６、および内刃支持枠５７と、内刃支持枠５７に対して前後面からそれぞれ着脱可能に装着される内刃ユニット５８と、内刃支持枠５５に着脱自在に装着される外刃ホルダー１２と、内刃支持枠５７の内部に収容される振動子４８などで構成してある。ヘッドフレーム５５、揺動枠５６、および内刃支持枠５７はそれぞれプラスチック成形品からなる。
【００２７】
ヘッドフレーム５５は、下向きに開口するケース部６０と、ケース部６０の上面両側に立設した側壁６１とを備えており、左右の側壁６１で揺動枠５６を前後揺動可能に軸支する。そのために、ケース部６０の上面壁は揺動枠５６の揺動軌跡に沿って下凹み円弧状に形成されている。四角枠状に形成される揺動枠５６の上面左右には、上端に揺動ボス６２を備えた揺動腕６３が立設されており、先の側壁６１で揺動ボスを前後揺動自在に軸支する。これにより、ヘッドフレーム５５を除く、揺動枠５６および内刃支持枠５７などの各部材が前後方向に揺動できる。しかし、ロックノブ１８を押し下げると揺動できない状態になる。片方の揺動ボス６２に、終段軸３６と終段ギヤ３９とが組み込まれる（図６参照）。振動子４８の左右両端の取付部は揺動枠５６に固定してある。
【００２８】
内刃支持枠５７は、下向きに開口する角箱状のカバー部６５と、カバー部６５の上面左右に突設されるトンネル断面状のアーチ部６６とを一体に備えており、揺動枠５６に上面側から係合装着されてヘッドフレーム５５の上面を側壁６１ごとカバーする。カバー部６５の上面４箇所には、内刃ユニット５８を前側、あるいは後側から係合装着するための装着部６７が形成してある。各アーチ部６６の外側面に、ロックノブ１８およびダミーノブ２０を組み付けるための角ボス６８を形成し、その下方に解除ピース１９を組み付けるための枠壁６９を設けている。内刃支持枠５７を揺動枠５６に装着することにより、振動子４８の駆動軸７０のみがカバー部６５の上面の開口から上方へ突出するが、この開口と駆動軸７０との間はパッキン７１で封止する（図６参照）。
【００２９】
図７および図８において、内刃ユニット５８は、左右に長いＨ字状の内刃フレーム７２と、内刃フレーム７２で軸支される内刃１５と、片方の内刃軸に固定した内刃ギヤ７３とからなる。内刃フレーム７２の左右の脚下部には、先の装着部６７と係合する係合溝７４が左右対向状に設けてある。内刃１５は、円柱状のプラスチック製ホルダーの周面に、一群の金属切刃をスパイラル状に埋設固定して構成する。
【００３０】
内刃支持枠５７に装着した内刃ユニット５８を前後移動不能に係合捕捉するためのロック機構が、内刃支持枠５７の内部に設けてある。図８に示すように、ロック機構は、前後に長いロックアーム７５と、ロックアーム７５を押し上げ付勢する圧縮コイル形のロックばね７６とからなる。ロックアーム７６の前後端には、内刃フレーム７２を係合捕捉する係合爪７７が上向きに突設してある。内刃ユニット５８を装着部６７に差し込み装着した状態においては、ロックアーム７５の係合爪７７が内刃フレーム７２の両側部に係合する。これにより内刃ユニット５８は、前後、左右、上下の全方位へ移動不能に保持固定される。
【００３１】
外刃ホルダー１２には、外刃１６およびセンター刃１７を含む外刃カートリッジＣが着脱可能に組み込まれる。図９および図１０に示すように、外刃ホルダー１２は門形に形成される左右一対の側枠（左右壁）８１と、側枠８１の下部どうしを繋ぐ前後の横枠８２とを一体に備えた上下面が開口する枠体からなり、アルミニウムまたはステンレスをダイキャスト成形して形成してある。側枠８１の前後中央には、後述する解除片１６０をロック解除操作するための操作窓１７０が開口してある。符号１７１はプラスチック製の化粧ピースである。
【００３２】
左右に対向する両側枠８１の内面の中央上部には、外刃カートリッジＣを係合装着するための第１係合凹部（係合凹部）８３が形成され、両側枠８１の内面の下面前後には、後述する解除ピース１９のロック爪１５６で係合捕捉される第２係合凹部（係合凹部）８４が形成してある。横枠８２の内面には、カートリッジ枠７９を左右方向に位置決めする浅いガイド溝８５が形成してある。
【００３３】
図１０、および図１１に示すように、外刃カートリッジＣは、前後一対の外刃ユニットＳと、両外刃ユニットＳの間に配置したセンター刃１７と、外刃ユニットＳおよびセンター刃１７を支持するカートリッジ枠７９とで構成する。
【００３４】
図９ないし図１１に示すように、カートリッジ枠７９は、外刃ホルダー１２と同様に左右一対の側枠８６と、側枠８６の下部どうしを繋ぐ前後の横枠８７とで上下面が開口する枠体状に形成するが、全体を外刃ホルダー１２よりひと回り小さく形成する。カートリッジ枠７９の構造強度を増強するために、側枠８６の周面に段部１８０を形成している。両側枠８６の外側面には、先の第１係合部８３と係合する弾性係合爪８８が一体に形成してある。
【００３５】
図１０に示すように、両側枠８６の内面上部には、固定外刃５１の両側端を支持する左右一対の刃支持部８９と、両刃支持部８９の突端から下向きに延びる縦壁９０と、両縦壁９０の下端から左右対向状に突設されるばね受アーム９１とが階段状に形成してある。両縦壁９０の対向面に固定外刃５１の取付ピース５４を係合するための突起９２が形成してある。符号９３は刃支持部８９と協同して、固定外刃５１の取付ピースを上下動可能に案内するガイド壁である。
【００３６】
図１１に示すように、前後の横枠８７の対向面と、左右のばね受アーム９１の前後面のそれぞれには、外刃ユニットＳを装着するためのピン９４・９５が突設してある。横枠８７側のピン９４は３個ずつ、ばね受アーム９１側のピン９５はそれぞれ２個ずつ形成する。横枠８７の前後下縁には、外刃ホルダー１２のガイド溝８５と係合する突起９７が形成してある。ばね受アーム９１には、後述する付勢ピース１３２を上下スライドのみ自在に支持する下向きのガイド凹部９６が形成してある。
【００３７】
図１２および図１３に示すように、外刃１６の交換を容易化するために、前後の外刃ユニットＳは、シート状の網刃体からなる外刃１６と、外刃１６をアーチ状に支持する外刃保持枠９９とでカートリッジ化してある。外刃保持枠９９は、左右一対の側枠１０１と、側枠１０１の下部どうしを繋ぐ前後の横枠１０２とで上下面が開口する枠体状に形成してあり、センター刃１７と隣接する側の枠面に、外刃１６の湾曲姿勢を規定する刃受壁１０３が形成してある。
【００３８】
横枠１０２の前後面には、外刃１６を溶着固定するためのピン１０４がそれぞれ４個ずつ形成してある。外刃１６を逆Ｕ字状に湾曲したうえで、その前後縁に設けた穴をピン１０４に係合し、ピン１０４を溶着することにより、外刃１６と外刃保持枠９９とを一体化しカートリッジ化できる。このように外刃１６をカートリッジ化した外刃ユニットＳによれば、外刃１６を外刃保持枠９９ごとカートリッジ枠７９から取り外して外刃１６を交換できるので、交換作業を簡便化できるうえ、交換時に外刃１６を傷めることもない。必要があれば、外刃ユニットＳおよびセンター刃１７をカートリッジ枠７９ごと交換することができる。外刃１６の前後端および横枠１０２には、後述する緊張具を連結するための長穴１０６・１０５が形成してある。
【００３９】
図１４に示すようにセンター刃１７は、カートリッジ枠７９に固定される断面逆Ｕ字状の固定外刃５１と、固定外刃５１の内面に配置される断面逆Ｕ字状の可動内刃５２とで構成してある。固定外刃５１と可動内刃５２の歯面には、それぞれ逆Ｕ字上のスリット刃が形成してあり、両切刃のせん断作用によって、主として長毛やくせ毛を切断する。固定外刃５１の両端には取付ピース５４が溶着固定してあり、可動内刃５２の中央下面には連結片５３が溶着固定してある。取付ピース５４には、可動内刃５２をスライド案内する逆Ｕ字状のガイド部１０８と、係合脚片１０９とが一体に設けてある。
【００４０】
可動内刃５２を固定内刃５１に組み付けた状態で、取付ピース５４を固定外刃５１に溶着固定することにより、これら３者５１・５２・５４を分離不能に一体化して１個のユニット部品とすることができ、従って、センター刃１７の交換をより少ない手間で行える。図１５に示すように、係合脚片１０９はカートリッジ枠７９の縦壁９０に設けた突起９２と係合して、センター刃１７をカートリッジ枠７９に固定保持する。連結片５３には板ばね１１０が組み付けてあり、左右のばね腕をばね受アーム９１の上面で受け止めることにより、可動内刃５２の全体が固定内刃５１に押し付けられた状態で、左右スライドできる。連結片５３には受動溝１１１が形成してあり、受動溝１１１が振動子４８の駆動軸４９と係合することにより、駆動軸４９の左右往復動作を連結片５３を介して可動内刃５２に伝動できる。
【００４１】
センター刃１７による長毛やくせ毛の切断をより効果的に行うために、外刃１６にスリット１００を形成している。詳しくは、図１６に示すように、外刃１６におけるシート面の殆どには、内刃１５と協同してひげ切断を行う網刃を形成するが、センター刃１７と対向する前後の外刃１６のシート面にスリット１００を横列状に形成している（図９参照）。図１６において、網刃の形成領域を符号Ｚ１で示し、スリット１００の形成領域を符号Ｚ２で示している。
【００４２】
このように、センター刃１７と対向するシート面にスリット１００を横列状に形成すると、長毛やくせ毛を切断する際に、その毛先側をスリット１００で捕捉して、センター刃１７による長毛やくせ毛の切断を効果的に行える。なお、スリット１００による長毛の捕捉をより確実に行うために、図９に示すように、スリット１００の列幅Ｂ１は、固定外刃５１におけるスリット刃の左右全幅Ｂ２より大きく設定してある。
【００４３】
外刃１７を上下動可能に支持し、かつ内刃１５に密着付勢するために、外刃ホルダー１２の内面前後と、前後中央の３箇所に、前ばねユニット１１３、中央ばねユニット１１４、後ばねユニット１１５からなる緊張具を設けている。
【００４４】
図１２において、前ばねユニット１１３は、左右に長い帯板状の付勢枠１１７と、付勢枠１１７を押し下げ付勢するばね体１１８とで構成する。付勢枠１１７はプラスチック成形品からなり、その板面の前後に、ばね体１１８を固定するための４個のピン１１９と、外刃保持枠９９を係合連結するための４個の係合ピン１２０とが設けてある。付勢枠１１７の板面の左右３箇所には上下方向の長穴１２１が形成してある。
【００４５】
ばね体１１８は、ステンレス板材を素材とするプレス成形品からなり、付勢枠１１７を補強する左右に長い帯状の補強壁１２４と、補強壁１２４の上縁中央寄りから斜め上向きに折曲げ形成される一対のばね腕１２５とで構成する。補強壁１２４の面壁には、先のピン１１９と係合する４個の穴１２６と、付勢枠１１７に設けた長穴１２１に対応する３個の長穴１２７とが通設してある。補強壁１２４を付勢枠１１７の片面に接合し、穴１２６に挿通したピン１１９の突端を溶融変形することにより、ばね体１１８と付勢枠１１７を一体化して、付勢枠１１７を補強壁１２４で補強できる。
【００４６】
図１７に示すように、付勢枠１１７およびばね体１１８の長穴１２１・１２７を、カートリッジ枠７９の横枠８７内面に突設したピン９４で案内支持することにより、前ばねユニット１３をカートリッジ枠７９で上下動自在に支持できる。ばね腕１２５の端部上面を横枠８７の内面に形成した段部１２９で受け止めることにより、前ばねユニット１３の全体が押し下げ付勢される。
【００４７】
後ばねユニット１１５は、前ばねユニット１１３と同じ構造であって、前ばねユニット１１３を前後に反転して使用するだけであるので、同じ部材に同じ符号を付してその説明を省略する。
【００４８】
図１１に示すように、中央ばねユニット１１４は、ばね受アーム９１のガイド凹部９６で上下スライド自在に案内支持される左右一対の付勢ピース１３２と、付勢ピース１３２を押し下げ付勢するばね体１３３とで構成する。付勢ピース１３２は、中央にばね受部１３４を備えたプラスチック成形品からなり、ばね受部１３４の左右に突設した側壁１３５の前後面のそれぞれに、外刃保持枠９９を係合連結するための４個の係合ピン１３６が設けてある。ばね体１３３は圧縮コイル形のばねからなり、ばね受アーム９１のガイド凹部９６とばね受部１３４との間に配置する。
【００４９】
先に説明したばね受アーム９１は、それぞれ片持梁状に形成してある。そこで、その前後面に補強板１３９を橋絡状に固定してばね受アーム９１の構造強度を増強する。図１１に示すように補強板１３９は、ステンレス板材を素材とする左右に長い帯状のプレス成形品からなり、板面の左右に溶着用の４個の穴１４０と、上下方向の４個の長穴１４１とが通設してある。先の付勢ピース１３２の係合ピン１３６を長穴１４１に係合したうえで、ガイド凹部９６内にばね体１３３を装填した状態で、補強板１３９をばね受アーム９１の前後面に接合し、補強板１３９の穴１４０に挿通したピン９５の突端を溶融変形することにより、補強板１３９がばね受アーム９１に固定され、同時に付勢ピース１３２をばね受アーム９１に対して分離不能に支持することができる。
【００５０】
図１５に示すように左右のばね受アーム９１は、左右間隔Ｗを介して対向するが、この左右間隔Ｗを利用して振動子４８の駆動軸７０を配置する。具体的には、外刃ホルダー１２を内刃支持枠５７に装着した状態において、駆動軸７０が左右間隔Ｗを縦通して連結片５３の受動溝１１１と係合し、振動子４８の往復動力を可動内刃５２に伝動できるように構成する。この組み付け状態において、連結片５３および駆動軸７０の前後面は、図１６に示すようにそれぞれ補強板１３９と正対しており、従って、センター刃１７に過大な負荷が作用し、駆動軸７０が前後にぐらつこうとするとき、その前後面を補強板１３９で受け止めて適正に往復動させることができる。
【００５１】
上記の各ばねユニット１１３・１１４・１１５をカートリッジ枠７９に組み付けた状態で、外刃ユニットＳをカートリッジ枠７９の上面側からケース内へはめ込み、その前後面を各ばねユニット１１３・１１４・１１５に連結し、さらにセンター刃１７をカートリッジ枠７９に組み込むことにより外刃カートリッジＣを組み上げることができる。カートリッジ枠７９は、外刃ホルダー１２に対して下面側から装着する。外刃ユニットＳをカートリッジ枠７９に組み付けた状態においては、外刃保持枠９９の両側面を、撓み変形しにくい段部１８０を備えた側枠８６で受け止めることができるので、外刃ユニットＳを確りと固定保持できる。また、図１８に示すように段部１８０を外刃ホルダー１２の側枠８１で受け止めて、カートリッジ枠７９を強固に固定保持できる。
【００５２】
外刃ホルダー１２は、かみそりヘッド２の取付部１４３、詳しくは内刃支持枠５７のカバー部６５の周囲壁と、周囲壁の前後下端に張出される受壁とからなる取付部１４３に上方から外嵌装着するが、この装着状態を保持するために、外刃ホルダー１２の左右の側枠８１と内刃支持枠５７との間に、外刃ホルダー１２を取り外し不能にロック保持する第１ロック機構を設ける。さらに外刃ホルダー１２の左右の側枠８１と外刃カートリッジＣとの間に、外刃カートリッジＣをロック保持する第２ロック機構を設ける。
【００５３】
図１８ないし図２０において第１ロック機構は、内刃支持枠５７の枠壁６９に対して出没自在に組み付けられる解除ピース１９と、解除ピース１９と同行移動するロックピース１４６と、ロックピース１４６に対応して外刃ホルダー１２の側枠内面に設けられる係合凹部８４と、内刃支持枠５７と解除ピース１９との間に設けられてロックピース１４６をロック付勢するばね１４７を含んで構成する。
【００５４】
図１９に示すように解除ピース１９は、前後中央に操作ボタン１４９が形成してある木の葉状の基部１５０と、基部１５０の内側面に形成される凸字状の連結枠１５１とを一体に形成したプラスチック成形品からなり、連結枠１５１の内奥壁にばね受突起１５２（図１８参照）を備えている。連結枠１５１の上下壁には、ロックピース１４６を取り付けるための係合溝１５３が形成してある。
【００５５】
ロックピース１４６は凸字状のベース１５５と、前後一対のロック爪１５６とを一体に形成したプラスチック成形品からなり、ベース１５５の前後中央の上部に四角形のばね通口１５７を形成する。ばね通口１５７の上縁と、ベース１５５の中央下縁のそれぞれに、先の係合溝１５３と係合する嵌合爪１５８を形成する。前後のロック爪１５６は、外刃ホルダー１２の第２係合凹部８４と係合して、外刃ホルダー１２をロック保持する。
【００５６】
ロックピース１４６を、内刃支持枠５７の下面側から枠壁６９の内面に差し込み、ばね１４７および解除ピース１９を枠壁６９の外面側から組み付け、係合溝１５３に嵌合爪１５８を落とし込み係合して、解除ピース１９とロックピース１４６を一体化することにより、第１ロック機構を内刃支持枠５７に組み付けることができる。この組み付け状態においては、ロックピース１４６はばね１４７でロック付勢されて枠壁６９で受け止められている（図１８参照）。
【００５７】
第２ロック機構は、外刃ホルダー１２の側枠８１とカートリッジ枠７９の側枠８６とに設けられて、互いに係合する弾性係合爪８８および第１係合凹部８３と、弾性係合爪８８をロック解除操作する解除片１６０とで構成する。図９に示すように、弾性係合爪８８は、カートリッジ枠７９の側枠５６の中央前後に形成した前後一対のスリット１６１で他の壁面から区分されて、左右方向へ弾性変形できる。解除片１６０は弾性係合爪８８の下部遊端に形成してあり、図２２に示すように解除片１６０を弾性係合爪８８の弾性に抗しながら押し込み操作すると、弾性係合爪８８を係合凹部８３から離脱させて両者８３・８８の係合を解除でき、この状態で外刃カートリッジＣを外刃ホルダー１２から下向きに取り外すことができる。
【００５８】
外刃カートリッジＣを外刃ホルダー１２に装着した状態においては、解除片１６０は図２１に示すように操作窓１７０の開口面から距離ｂだけホルダー内面側の奥まった位置に位置している。従って、外刃ホルダー１２を内刃支持枠５７から取り外した場合でも、使用者の明確な意図がない限りは、解除片１６０に触れることはなく、解除片１６０の誤操作によって外刃カートリッジＣが外刃ホルダー１２から分離するのを確実に防止できる。
【００５９】
外刃ホルダー１２を取付部１４３に装着した状態においては、外刃ホルダー１２が第１ロック機構で分離不能にロック保持される。この装着状態において、解除片１６０が操作窓１７０を介して外刃ホルダー１２の外面に露出するのを防ぐために、内刃支持枠５７の角ボス６８の上部にカバー壁１６３を突設し、図１８に示すように、カバー壁１６３で解除片１６０の外側面を覆い隠している。さらに、解除片１６０の内側面をアーチ部６６で受け止めて、解除片１６０の係合解除方向への変位を規制している。このように、解除片１６０の外側面を操作窓１７０内に位置するカバー壁１６３で覆い隠し、さらに解除片１６０の前後を操作窓１７０の前後の周縁壁１７２で囲んでしまうと、電気かみそりを使用する際に、解除片１６３が誤ってロック解除操作されるのを確実に防止できる。
【００６０】
図１に示すように、第１ロック機構をロック解除操作して外刃ホルダー１２を取付部１４３から上方へ抜き外すと、第２係合凹部８４とロック爪１５６との係合が解除される。このときの上下方向の係合解除長さＭは、概ねロック爪１５６の上下長さに一致しており、係合解除長さＭの分だけ外刃ホルダー１２が変位した後には、ロック爪１５６が側枠８１の内面壁で受け止められるので、第１ロック機構がロック状態に戻ることはない。
【００６１】
因みに、外刃ホルダー１２を内刃支持枠５７に装着した状態における、解除片１６０とカバー壁１６３との上下方向の重合寸法Ｌは、図１８に示すように先の係合解除長さＭより充分に大きい。従って、第１ロック機構がロック解除操作された後でも、重合寸法Ｌがゼロになるまでの間は、解除片１６０の外側面をカバー壁１６３で覆うことができ、従って、外刃ホルダー１２を着脱する際に誤って解除片１６０を操作してしまうのを確実に防止できる。
【００６２】
図２３は第２ロック機構の別実施例を示す。そこでは、解除片１６０を弾性係合爪８８とは別部品として形成し、解除片１６０の弾性腕１６４を外刃ホルダー１２の側枠８１の内面に溶着固定した。この実施例における外刃カートリッジＣは、外刃ホルダー１２から上向きに抜き出して分離する。他は先の実施例と同じであるので、同じ部材に同じ符号を付してその説明を省略する。以下の実施例においても同じ扱いとする。
【００６３】
図２４は外刃カートリッジＣの別実施例を示す。そこでは、外刃保持枠９９と、その周面に張設した１個の外刃１６とで外刃カートリッジＣを構成し、外刃保持枠９９の側枠１０１の外面に弾性係合爪８８と、解除片１６０とを一体に形成した。カートリッジ枠７９における弾性係合爪８８と同様に、側枠１０１の外面に形成した弾性係合爪８８もスリット１６１で他の壁面から区分されている。
【００６４】
上記の実施例以外に、第１ロック機構は実施例で説明した構造である必要はなく、外刃ホルダー１２とその取付部１４３との間に設けられて、互いに係合する係合突起と係合凹部で構成することができる。本発明は、ロータリー式の電気かみそり以外に、内刃が往復動する電気かみそりにも適用でき、その場合のカバー壁１６３は、かみそりヘッド２を構成するヘッドフレームや本体ケースと一体に形成することができる。
【図面の簡単な説明】
【図１】第２ロック機構を示す概略断面図である。
【図２】電気かみそりの正面図である。
【図３】電気かみそりの側面図である。
【図４】電気かみそりの分解正面図である。
【図５】かみそりヘッドの縦断正面である。
【図６】かみそりヘッドの中央縦断正面である。
【図７】かみそりヘッドの動力伝動系を省略した分解正面図である。
【図８】内刃ユニットの取り付け構造を示す縦断側面図である。
【図９】外刃ホルダーおよび外刃カートリッジを分解した斜視図である。
【図１０】カートリッジ枠とセンター刃の関係を示す分解断面図である。
【図１１】カートリッジ枠と中央ばねユニットの分解斜視図である。
【図１２】外刃の分解斜視図である。
【図１３】外刃の緊張構造を示す分解断面図である。
【図１４】センター刃の分解斜視図である。
【図１５】センター刃の駆動構造を示す縦断正面図である。
【図１６】外刃とセンター刃の関係構造を示す縦断側面図である。
【図１７】外刃の緊張構造を示す縦断側面図である。
【図１８】第２ロック機構の縦断正面図である。
【図１９】第１ロック機構の分解斜視図である。
【図２０】外刃カートリッジと内刃支持枠の関係構図を示す分解側面図である。
【図２１】外刃カートリッジを内刃支持枠から取り外した状態の一部破断正面図である。
【図２２】外刃カートリッジを外刃ホルダーから分離した状態の縦断正面図である。
【図２３】外刃カートリッジの別実施例を示す縦断正面図である。
【図２４】第２ロック構造の別実施例を示す断面図である。
【符合の説明】
２  かみそりヘッド
１２  外刃ホルダー
１６  外刃
１７  センター刃
１９  解除ピース
５７  内刃支持枠
７９  カートリッジ枠
８１  外刃ホルダーの側枠
８６  側枠
８３  係合凹部
８４  係合凹部
８８  弾性係合爪
９９  外刃保持枠
１４３  かみそりヘッドの取付部
１４６  ロックピース
１４７  ばね
１６０  解除片
１６３  カバー壁
１７０  操作窓
Ｃ  外刃カートリッジ
Ｓ  外刃ユニット
【図１】
2004248979.tif 000003
【図２】
2004248979.tif 000004
【図３】
2004248979.tif 000005
【図４】
2004248979.tif 000006
【図５】
2004248979.tif 000007
【図６】
2004248979.tif 000008
【図７】
2004248979.tif 000009
【図８】
2004248979.tif 000010
【図９】
2004248979.tif 000011
【図１０】
2004248979.tif 000012
【図１１】
2004248979.tif 000013
【図１２】
2004248979.tif 000014
【図１３】
2004248979.tif 000015
【図１４】
2004248979.tif 000016
【図１５】
2004248979.tif 000017
【図１６】
2004248979.tif 000018
【図１７】
2004248979.tif 000019
【図１８】
2004248979.tif 000020
【図１９】
2004248979.tif 000021
【図２０】
2004248979.tif 000022
【図２１】
2004248979.tif 000023
【図２２】
2004248979.tif 000024
【図２３】
2004248979.tif 000025
【図２４】
2004248979.tif 000026